(57)【要約】      （修正有）【課題】便座の裏面、便器外面上部等に飛散、又は付着している尿等の汚物類が、便座を上げ下げする時や便座使用時に、手指及び衣類に触れて付着し、又、衣類が便座と便器の間に入り込んだり、引掛かったりするのを防止できるスカート付便座を提供する。【解決手段】汚物類が手指及び衣類に触れて付着、又は衣類が便座２に引っ掛からない様に、遮蔽する機能を持っているスカート付の便座１にする。【選択図】図１
0003210900.tif 000002
【実用新案登録請求の範囲】
【請求項１】
便座の裏面及び便器外面上部等に飛散、又は付着している尿等の汚物類が、手指や衣類に触れて付着しない様にし、更に衣類が便座と便器の隙間に入り込んだり引掛らない様に、遮蔽する機能を持っている便座本体と一体型で外部に凹みが有って指を入れて上げ下げ出来ることを特徴とするスカート付便座並びに上記と同機能を特徴とする分割型のスカート付便座
【請求項２】
スカート付便座の構造になっていない従来の便座に対して、機能上は請求項１に記載されたものと同じであり、一体型又は分割型でスカート部が脱着可能になっており、便座への取付が嵌込み方式又は、差込み、貼付け、ネジ止め等に依り取り付けることを特徴とする便座用のスカート
【考案の詳細な説明】
【技術分野】
【０００１】便座の前面は長めのスカート、左右の側面は短めのスカートが付いている便座
【背景技術】
【０００２】従来の板状の便座（片方ヒンジ型）を上げ下げする時は、便座裏面に直接手指を当て、上げ下げしている。又、便座使用時には、衣類が直接便座の裏面や便器に触れたり、引掛かったりする。
【考案の概要】
【０００３】便座の裏面、便器外面上部等に飛散して付着している尿等の汚物類が、便座上げ下げ時や便座使用時に、手指及び衣類に触れて付着しない様、遮蔽する機能を持っているスカート（便座と一体型又は脱着可能型）付きの便座で、衣類が便座と便器の間に入り込んだり引掛かったりする事も防止する。
【考案が解決しようとする課題】
【０００４】これは、次の様な欠点があった。
▲１▼便座を上げ下げする時は、便座を手で持って支えた状態で行うが、この場合には便座の裏面に手指が触れる事となる。便座の裏面には、尿等飛散した汚物が付着しており、この不衛生的で雑菌も居る汚物に手指が触れる事は、衛生上大変不合理である。
▲２▼又、衣類を下げて使用する場合には、便座の前側になる衣類は便座裏面や便器に触れたり、更には便座と便器の間に入り込む事や引掛かる様な状態にもなり、衣類にも汚物が付着するので、衛生面からも精神的にも悪いものである。
▲３▼尚、便座使用時は、便座と便器の隙間からも理論的には、微小粒子状飛散汚物が外側に出ている事になり、足部や衣類に付着するので、これらに関しても衛生上好ましくない。
この考案は、以上の欠点を解決する為になされたものである。
【課題を解決するための手段】
【０００５】便座の前面及び左右の側面にスカート（便座と一体型又は脱着可能型）を付ける。
【考案の効果】
【０００６】便座を上げ下げする時、スカートの外部に有る「へこみ部」に指を入れて、手指が直接汚物等に触れずに操作出来る為、衛生的レベルは数段も高度なものとなる。
又、便座を下げて使用する場合にも、遮蔽用のスカートが付いているので、便座の前側になる衣類が便座や便器に触れたり、便座と便器の間に入り込む事や引掛かる様な状態にならないので、衣類にも汚物が付着しない。
更に、便座と便器の隙間から外側へ飛散する微小粒子状汚物が足部や衣類に付着するのを防止出来る。
【考案を実施するための形態】
【０００７】汚物付着防止用スカート付便座：＃１には、便座の前面と左右側面に遮蔽用のスカートが付いており、前方部は側面部に比べて機能面を考慮した形状で、寸法的には長くなっているので、衣類が遮られて便座の裏面及び便器：＃２には触れない事になる。
便座使用時には、スカートに対して、衣類が強く当たる場合もあるので、剛性面を充分に補う形状であり、必要に応じて補強材等も最適な寸法のものが組み込まれている。
（便器全体カバー：＃３）
又、前方左右の側面上部には、手指を入れる「へこみ部」が有り、此処に指を入れて便座を上げ下げ出来るので、汚物には全く手指を触れずに操作が出来る。
更には、使用時に便座と便器の隙間から飛散する微小粒子状汚物の衣類への付着も遮られる。
スカート部は、構造的には、便座の一部となるので、便座と一体物であるが、スカート部だけを別の材料で造り、組合せて取付けられている（通常取外す事が無い）場合は、一体型の部類に入れるものとする。
スカート部の材料としては、便座と同一の物、又はナイロン系、プラスチック系等の合成樹脂系になるが、特殊加工された植物系等の場合も有り、肌触り面をも考慮されたものとなっている。
スカート付でない従来の便座に取付ける脱着可能型スカート：＃１１〜＃１６に関しても、機能面、及び構成形体は一体型と同じであるが、便座及び便器の形状に依り、構造面及び取付けの都合上等から、▲１▼全体をカバーするタイプ、▲２▼前部のみ分割するタイプ、▲３▼後部のみ分割するタイプ▲４▼その他の部位で分割するタイプ、又▲５▼前方部のみを取付けるタイプ、▲６▼その他になるが、強度面、材料面等に関しては、一体型と基本的には同様である。
そして、便座を部分的にカバーする様なタイプ等で、直接身体に触れる面等には、柔軟性や寸法的な厚みを最適なものとして、不快感を与えない様に充分配慮されたものとなっている。
【図面の簡単な説明】
【図１】本考案の斜視図を示す。
【図２】平面図を示す。
【図３】正面図を示す。
【図４】側面図を示す。
【図５】全体カバーを上げた側面図を示す。
【図６】全体カバー及びスカート付便座を上げた側面図を示す。
【図７】断面Ａ−Ａの断面図を示す。
【図８】断面Ｂ−Ｂの断面図を示す。
【図９】脱着可能型スカート（例１）の斜視図を示す。
【図１０】脱着可能型スカート（例２）の斜視図を示す。
【図１１】脱着可能型スカート（例３）の斜視図を示す。
【図１２】脱着可能型スカート（例４）の斜視図を示す。
【符号の説明】  １  スカート付便座
２  便器
３  便器全体カバー
１１        脱着可能型スカート（例１）
１２、１３  脱着可能型スカート（例２）
１４、１５  脱着可能型スカート（例３）
１６        脱着可能型スカート（例４）
【図１】
0003210900.tif 000003
【図２】
0003210900.tif 000004
0003210900.tif 000005
【図５】
0003210900.tif 000006
【図６】
0003210900.tif 000007
【図７】
0003210900.tif 000008
【図８】
0003210900.tif 000009
【図９】
0003210900.tif 000010
【図１０】
0003210900.tif 000011
【図１１】
0003210900.tif 000012
【図１２】
0003210900.tif 000013
【手続補正書】
【提出日】平成29年3月21日(2017.3.21)
【手続補正１】
【補正対象書類名】実用新案登録請求の範囲
【補正対象項目名】全文
【補正方法】変更
【補正の内容】
【実用新案登録請求の範囲】
【請求項１】
便座の前面に長めのスカート、便座の左右の側面に短めのスカートが設けられ、便座本体と一体型で外部に凹みが有って指を入れて上げ下げ出来、便座の裏面及び便器外面上部に飛散、又は付着している尿等の汚物類が、手指や衣類に触れて付着しない様にし、更に衣類が便座と便器の隙間に入り込んだり引っ掛からない様に、遮蔽する機能を持っていることを特徴とするスカート付便座又は分割型のスカート付便座
【請求項２】
スカート付き便座の構造になっていない便座に対して、前面に長めのスカート、左右の側面に短めのスカートが設けられ、外部に凹みが有って指を入れて上げ下げ出来、便座の裏面及び便器外面上部に飛散、又は付着している尿等の汚物類が、手指や衣類に触れて付着しない様にし、更に衣類が便座と便器の隙間に入り込んだり引っ掛からない様に、遮蔽する機能を持っており、一体型又は分割型でスカート部が脱着可能になっていて、便座への取付けが嵌込み方式、又は差込み、貼付け、ネジ止めに依り取り付けることを特徴とする便座用のスカート
【手続補正２】
【補正対象書類名】図面
【補正対象項目名】全図
【補正方法】変更
【補正の内容】
【図１】
0003210900.tif 000014
【図２】
0003210900.tif 000015
【図３】
0003210900.tif 000016
【図４】
0003210900.tif 000017
【図５】
0003210900.tif 000018
【図６】
0003210900.tif 000019
【図７】
0003210900.tif 000020
【図８】
0003210900.tif 000021
【図９】
0003210900.tif 000022
【図１０】
0003210900.tif 000023
【図１１】
0003210900.tif 000024
【図１２】
0003210900.tif 000025